(57)【要約】【課題】データの管理構造に依存しない操作性を提供する。【解決手段】コンテンツのグルーピングや再グルーピングを行う際に、コンテンツを移動してグループを作成すると、管理構造も共に変化してしまうため、コンテンツが見つけにくくなるといった課題や、コピーで作成してしまうとデータの一貫性が保てなくなるという課題に対して、閲覧者による明示的なグルーピング操作に対しては、第１表示エリアＡ１に表示されているコンテンツの中から特定のコンテンツのみを選択的に表示する第２表示エリアＡ２を設け、任意のコンテンツを第２表示エリアＡ２に表示するものとして選択操作（例えば、ドラッグ＆ドロップ）した際に、管理されている当該コンテンツからのリンクを生成することで、データの管理構造に依存しない操作性を提供することで上記課題を解決することができる。【選択図】        図５
2009284070.tif 000002
【特許請求の範囲】
【請求項１】
所定の管理構造で管理されたコンテンツを一覧表示する第１表示エリアと、前記第１表示エリアに表示されている前記コンテンツの中から特定の前記コンテンツのみを選択的に表示する第２表示エリアとを、表示装置の表示画面に表示する表示制御手段と、
前記第１表示エリアおよび前記第２表示エリアを含む前記表示装置の表示画面に対する閲覧者の操作内容を取得する操作取得手段と、
を備え、
前記操作取得手段が、前記第１表示エリアに一覧表示された前記コンテンツを前記第２表示エリアに表示する前記コンテンツとして選択する操作を取得すると、
前記表示制御手段は、前記第２表示エリアに表示するものとして選択操作された前記コンテンツを、管理されている当該コンテンツからのリンクを生成して前記第２表示エリアに表示する、
ことを特徴とする画像閲覧装置。
【請求項２】
前記操作取得手段が、前記第２表示エリアに表示された前記コンテンツを指定する操作を取得すると、
前記表示制御手段は、指定操作された前記コンテンツに類似する前記第１表示エリアの前記コンテンツについて、他の前記コンテンツとは区別された態様で表示する、
ことを特徴とする請求項１記載の画像閲覧装置。
【請求項３】
前記表示制御手段は、前記第１表示エリアの前記コンテンツを、区切りの単位となるタイムスケールに従って階層的に表示する、
ことを特徴とする請求項１または２記載の画像閲覧装置。
【請求項４】
前記表示制御手段は、前記第１表示エリアの前記コンテンツを、区切りの単位となるタイムスケールに従って非階層的に表示する、
ことを特徴とする請求項１または２記載の画像閲覧装置。
【請求項５】
前記表示制御手段は、前記コンテンツが表示される前記タイムスケールにおける時間単位毎の間隔を固定して表示する、
ことを特徴とする請求項３または４記載の画像閲覧装置。
【請求項６】
前記表示制御手段は、前記コンテンツが表示される前記タイムスケールにおける時間単位毎の間隔を可変とし、前記コンテンツが存在しない区間の幅を前記コンテンツが存在している区間に比べて狭くして表示する、
ことを特徴とする請求項３または４記載の画像閲覧装置。
【請求項７】
前記表示制御手段は、前記コンテンツが存在しない区間の最大連続数を予め定めておき、最大連続数を越える区間については表示しない、
ことを特徴とする請求項６記載の画像閲覧装置。
【請求項８】
前記表示制御手段は、前記第１表示エリアの前記コンテンツを、時間軸をらせん状に表現して区切りの単位となるタイムスケールに従って表示する、
ことを特徴とする請求項１または２記載の画像閲覧装置。
【請求項９】
前記表示制御手段は、らせん状に表現された時間軸上の前記コンテンツを、新しいものほどサイズを大きく調整して表示する、
ことを特徴とする請求項８記載の画像閲覧装置。
【請求項１０】
前記表示制御手段は、らせん状に表現された時間軸上の前記コンテンツを、透明度を新しいものほど不透明に調整して表示する、
ことを特徴とする請求項８または９記載の画像閲覧装置。
【請求項１１】
前記操作取得手段は、らせん状に表現された時間軸の周期を段階的に指定可能とし、
前記表示制御手段は、指定された周期に応じて時間軸をらせん状に表現する、
ことを特徴とする請求項８ないし１０のいずれか一記載の画像閲覧装置。
【請求項１２】
前記表示制御手段は、らせん状に表現された時間軸上の前記コンテンツを一覧表示する第３表示エリアを前記表示装置の表示画面に更に表示する、
ことを特徴とする請求項８ないし１１のいずれか一記載の画像閲覧装置。
【請求項１３】
前記表示制御手段は、らせん状に表現された時間軸上の特定の前記コンテンツと同一の前記第３表示エリア内の前記コンテンツを、他の前記コンテンツとは区別された態様で表示する、
ことを特徴とする請求項８ないし１２のいずれか一記載の画像閲覧装置。
【請求項１４】
前記操作取得手段が、らせん状に表現された時間軸上の前記コンテンツに対して送り／戻し操作を取得すると、
前記表示制御手段は、一定期間単位で時間軸の送り／戻し処理を行う、
ことを特徴とする請求項８ないし１３のいずれか一記載の画像閲覧装置。
【請求項１５】
前記操作取得手段が、前記第３表示エリア内の前記コンテンツに対して送り／戻し操作を取得すると、
前記表示制御手段は、一定期間単位で時間軸の送り／戻し処理を行う、
ことを特徴とする請求項１２または１３記載の画像閲覧装置。
【請求項１６】
前記表示制御手段は、時間軸の送り／戻しに応じてらせん状に表現された時間軸自体を移動させる、
ことを特徴とする請求項１４または１５記載の画像閲覧装置。
【請求項１７】
前記表示制御手段は、時間軸の送り／戻しに応じて前記コンテンツを移動させる、
ことを特徴とする請求項１４または１５記載の画像閲覧装置。
【請求項１８】
前記表示制御手段は、前記第１表示エリアの前記コンテンツを、区切りの単位となるタイムスケールに従い、複数の系列の前記コンテンツを時間同期させて並列に表示し、
前記操作取得手段は、複数の系列の前記コンテンツに対する同期したスクロール操作性を提供する、
ことを特徴とする請求項１または２記載の画像閲覧装置。
【請求項１９】
前記表示制御手段は、前記コンテンツのサイズを大きく変えて表示するズーム領域を、前記表示装置の表示画面に備える、
ことを特徴とする請求項１８記載の画像閲覧装置。
【請求項２０】
前記表示制御手段は、前記ズーム領域の前記コンテンツの間隔を等間隔で表示する、
ことを特徴とする請求項１９記載の画像閲覧装置。
【請求項２１】
前記表示制御手段は、前記ズーム領域の前記コンテンツの間隔を等間隔で表示する場合、境界線数を時間間隔に応じて変えて表示する、
ことを特徴とする請求項１９記載の画像閲覧装置。
【請求項２２】
前記表示制御手段は、前記ズーム領域の前記コンテンツの間隔を、当該コンテンツの時間間隔で表示する、
ことを特徴とする請求項１９記載の画像閲覧装置。
【請求項２３】
前記表示制御手段は、前記ズーム領域の前記コンテンツの表示数について、当該ズーム領域のデータ数を固定して表示する、
ことを特徴とする請求項１９記載の画像閲覧装置。
【請求項２４】
前記表示制御手段は、前記ズーム領域の前記コンテンツの表示数について、当該ズーム領域の両端の時間間隔を固定して表示する、
ことを特徴とする請求項１９記載の画像閲覧装置。
【請求項２５】
前記操作取得手段が、前記ズーム領域上でのスクロール操作を取得した場合には、
前記表示制御手段は、前記コンテンツを１つずつ移動させ、前記コンテンツのサイズを変えない非ズーム領域では時間に応じた移動を行う、
ことを特徴とする請求項１８ないし２４のいずれか一記載の画像閲覧装置。
【請求項２６】
前記操作取得手段は、Ｘ軸とＹ軸における移動操作量の比率に応じて、スクロール操作を取得したのか、前記第２表示エリアへのドラッグ操作を取得したのかを判断する、
ことを特徴とする請求項１８ないし２５のいずれか一記載の画像閲覧装置。
【請求項２７】
前記表示制御手段は、前記ズーム領域に、非ズームの前記コンテンツと当該コンテンツを拡大したズーム画像とを並列に表示する、
ことを特徴とする請求項１９記載の画像閲覧装置。
【請求項２８】
前記表示制御手段は、前記ズーム領域に表示される前記コンテンツに枠を表示する、
ことを特徴とする請求項１８ないし２７のいずれか一記載の画像閲覧装置。
【請求項２９】
コンピュータを、
所定の管理構造で管理されたコンテンツを一覧表示する第１表示エリアと、前記第１表示エリアに表示されている前記コンテンツの中から特定の前記コンテンツのみを選択的に表示する第２表示エリアとを、表示装置の表示画面に表示する表示制御手段と、
前記第１表示エリアおよび前記第２表示エリアを含む前記表示装置の表示画面に対する閲覧者の操作内容を取得する操作取得手段と、
として実行させ、
前記操作取得手段が、前記第１表示エリアに一覧表示された前記コンテンツを前記第２表示エリアに表示する前記コンテンツとして選択する操作を取得すると、
前記表示制御手段は、前記第２表示エリアに表示するものとして選択操作された前記コンテンツを、管理されている当該コンテンツからのリンクを生成して前記第２表示エリアに表示する、
ことを特徴とするプログラム。
【発明の詳細な説明】
【技術分野】
【０００１】
本発明は、画像閲覧装置およびプログラムに関する。
【背景技術】
【０００２】
現在のＧＵＩ（Graphical User Interface）環境におけるデータ表示装置（例えば、Windows（Microsoft Corporationの商標）が内蔵しているファイルやフォルダを管理するツールであるエクスプローラなど）は、コンピュータが内蔵するハードディスクの内容（ファイルやフォルダなど）をツリー状に一覧表示する機能を有している。
【０００３】
しかしながら、上述のようなデータ表示装置によれば、データの管理構造（階層構造）をツリー状で表現しているため、データの一覧性が悪いという課題がある。例えば、複数ディレクトリに管理されているデータをまとめて一覧したいという場合には、１つのディレクトリに一旦コピーして一覧する、またはディレクトリごとにウィンドウを立ち上げて比較する必要があり、両者とも一覧のために不要な手数がかかるという課題がある。また、データ群のまとまり（一定期間内のデータ群など）が見つけにくいため、データを１つ１つ見ていく必要があり、スクロール操作が効率的でないという課題がある。
【０００４】
また、既存のデータ表示装置では、閲覧者が階層構造を明示的に作成して、データを管理する必要があるが、データの階層構造を予め適切に作成することは難しい。そのため、階層構造の再作成が必要となり、閲覧者にとってデータの管理コストが大きいという課題がある。
【０００５】
そこで、特許文献１には、タイムラインベースナビゲーションツールを使用することによって、様々なデータオブジェクトの管理およびナビゲーションを実施するシステムが開示されている。
【０００６】
【特許文献１】特開２００６−１９５９７０号公報
【発明の開示】
【発明が解決しようとする課題】
【０００７】
ところで、データを管理する際には、データのグルーピングや再グルーピングを行うことがある。
【０００８】
しかしながら、データのグルーピングや再グルーピングを行う際に、データを移動してグループを作成すると、管理構造も共に変化してしまうため、データが見つけにくくなるといった課題や、コピーで作成してしまうとデータの一貫性が保てなくなるという課題がある。
【０００９】
本発明は、上記に鑑みてなされたものであって、データの管理構造に依存しない操作性を提供することを目的とする。
【課題を解決するための手段】
【００１０】
上述した課題を解決し、目的を達成するために、請求項１にかかる発明の画像閲覧装置は、所定の管理構造で管理されたコンテンツを一覧表示する第１表示エリアと、前記第１表示エリアに表示されている前記コンテンツの中から特定の前記コンテンツのみを選択的に表示する第２表示エリアとを、表示装置の表示画面に表示する表示制御手段と、前記第１表示エリアおよび前記第２表示エリアを含む前記表示装置の表示画面に対する閲覧者の操作内容を取得する操作取得手段と、を備え、前記操作取得手段が、前記第１表示エリアに一覧表示された前記コンテンツを前記第２表示エリアに表示する前記コンテンツとして選択する操作を取得すると、前記表示制御手段は、前記第２表示エリアに表示するものとして選択操作された前記コンテンツを、管理されている当該コンテンツからのリンクを生成して前記第２表示エリアに表示する、ことを特徴とする。
【００１１】
また、請求項２にかかる発明は、請求項１記載の画像閲覧装置において、前記操作取得手段が、前記第２表示エリアに表示された前記コンテンツを指定する操作を取得すると、前記表示制御手段は、指定操作された前記コンテンツに類似する前記第１表示エリアの前記コンテンツについて、他の前記コンテンツとは区別された態様で表示する、ことを特徴とする。
【００１２】
また、請求項３にかかる発明は、請求項１または２記載の画像閲覧装置において、前記表示制御手段は、前記第１表示エリアの前記コンテンツを、区切りの単位となるタイムスケールに従って階層的に表示する、ことを特徴とする。
【００１３】
また、請求項４にかかる発明は、請求項１または２記載の画像閲覧装置において、前記表示制御手段は、前記第１表示エリアの前記コンテンツを、区切りの単位となるタイムスケールに従って非階層的に表示する、ことを特徴とする。
【００１４】
また、請求項５にかかる発明は、請求項３または４記載の画像閲覧装置において、前記表示制御手段は、前記コンテンツが表示される前記タイムスケールにおける時間単位毎の間隔を固定して表示する、ことを特徴とする。
【００１５】
また、請求項６にかかる発明は、請求項３または４記載の画像閲覧装置において、前記表示制御手段は、前記コンテンツが表示される前記タイムスケールにおける時間単位毎の間隔を可変とし、前記コンテンツが存在しない区間の幅を前記コンテンツが存在している区間に比べて狭くして表示する、ことを特徴とする。
【００１６】
また、請求項７にかかる発明は、請求項６記載の画像閲覧装置において、前記表示制御手段は、前記コンテンツが存在しない区間の最大連続数を予め定めておき、最大連続数を越える区間については表示しない、ことを特徴とする。
【００１７】
また、請求項８にかかる発明は、請求項１または２記載の画像閲覧装置において、前記表示制御手段は、前記第１表示エリアの前記コンテンツを、時間軸をらせん状に表現して区切りの単位となるタイムスケールに従って表示する、ことを特徴とする。
【００１８】
また、請求項９にかかる発明は、請求項８記載の画像閲覧装置において、前記表示制御手段は、らせん状に表現された時間軸上の前記コンテンツを、新しいものほどサイズを大きく調整して表示する、ことを特徴とする。
【００１９】
また、請求項１０にかかる発明は、請求項８または９記載の画像閲覧装置において、前記表示制御手段は、らせん状に表現された時間軸上の前記コンテンツを、透明度を新しいものほど不透明に調整して表示する、ことを特徴とする。
【００２０】
また、請求項１１にかかる発明は、請求項８ないし１０のいずれか一記載の画像閲覧装置において、前記操作取得手段は、らせん状に表現された時間軸の周期を段階的に指定可能とし、前記表示制御手段は、指定された周期に応じて時間軸をらせん状に表現する、ことを特徴とする。
【００２１】
また、請求項１２にかかる発明は、請求項８ないし１１のいずれか一記載の画像閲覧装置において、前記表示制御手段は、らせん状に表現された時間軸上の前記コンテンツを一覧表示する第３表示エリアを前記表示装置の表示画面に更に表示する、ことを特徴とする。
【００２２】
また、請求項１３にかかる発明は、請求項８ないし１２のいずれか一記載の画像閲覧装置において、前記表示制御手段は、らせん状に表現された時間軸上の特定の前記コンテンツと同一の前記第３表示エリア内の前記コンテンツを、他の前記コンテンツとは区別された態様で表示する、ことを特徴とする。
【００２３】
また、請求項１４にかかる発明は、請求項８ないし１３のいずれか一記載の画像閲覧装置において、前記操作取得手段が、らせん状に表現された時間軸上の前記コンテンツに対して送り／戻し操作を取得すると、前記表示制御手段は、一定期間単位で時間軸の送り／戻し処理を行う、ことを特徴とする。
【００２４】
また、請求項１５にかかる発明は、請求項１２または１３記載の画像閲覧装置において、前記操作取得手段が、前記第３表示エリア内の前記コンテンツに対して送り／戻し操作を取得すると、前記表示制御手段は、一定期間単位で時間軸の送り／戻し処理を行う、ことを特徴とする。
【００２５】
また、請求項１６にかかる発明は、請求項１４または１５記載の画像閲覧装置において、前記表示制御手段は、時間軸の送り／戻しに応じてらせん状に表現された時間軸自体を移動させる、ことを特徴とする。
【００２６】
また、請求項１７にかかる発明は、請求項１４または１５記載の画像閲覧装置において、前記表示制御手段は、時間軸の送り／戻しに応じて前記コンテンツを移動させる、ことを特徴とする。
【００２７】
また、請求項１８にかかる発明は、請求項１または２記載の画像閲覧装置において、前記表示制御手段は、前記第１表示エリアの前記コンテンツを、区切りの単位となるタイムスケールに従い、複数の系列の前記コンテンツを時間同期させて並列に表示し、前記操作取得手段は、複数の系列の前記コンテンツに対する同期したスクロール操作性を提供する、ことを特徴とする。
【００２８】
また、請求項１９にかかる発明は、請求項１８記載の画像閲覧装置において、前記表示制御手段は、前記コンテンツのサイズを大きく変えて表示するズーム領域を、前記表示装置の表示画面に備える、ことを特徴とする。
【００２９】
また、請求項２０にかかる発明は、請求項１９記載の画像閲覧装置において、前記表示制御手段は、前記ズーム領域の前記コンテンツの間隔を等間隔で表示する、ことを特徴とする。
【００３０】
また、請求項２１にかかる発明は、請求項１９記載の画像閲覧装置において、前記表示制御手段は、前記ズーム領域の前記コンテンツの間隔を等間隔で表示する場合、境界線数を時間間隔に応じて変えて表示する、ことを特徴とする。
【００３１】
また、請求項２２にかかる発明は、請求項１９記載の画像閲覧装置において、前記表示制御手段は、前記ズーム領域の前記コンテンツの間隔を、当該コンテンツの時間間隔で表示する、ことを特徴とする。
【００３２】
また、請求項２３にかかる発明は、請求項１９記載の画像閲覧装置において、前記表示制御手段は、前記ズーム領域の前記コンテンツの表示数について、当該ズーム領域のデータ数を固定して表示する、ことを特徴とする。
【００３３】
また、請求項２４にかかる発明は、請求項１９記載の画像閲覧装置において、前記表示制御手段は、前記ズーム領域の前記コンテンツの表示数について、当該ズーム領域の両端の時間間隔を固定して表示する、ことを特徴とする。
【００３４】
また、請求項２５にかかる発明は、請求項１８ないし２４のいずれか一記載の画像閲覧装置において、前記操作取得手段が、前記ズーム領域上でのスクロール操作を取得した場合には、前記表示制御手段は、前記コンテンツを１つずつ移動させ、前記コンテンツのサイズを変えない非ズーム領域では時間に応じた移動を行う、ことを特徴とする。
【００３５】
また、請求項２６にかかる発明は、請求項１８ないし２５のいずれか一記載の画像閲覧装置において、前記操作取得手段は、Ｘ軸とＹ軸における移動操作量の比率に応じて、スクロール操作を取得したのか、前記第２表示エリアへのドラッグ操作を取得したのかを判断する、ことを特徴とする。
【００３６】
また、請求項２７にかかる発明は、請求項１９記載の画像閲覧装置において、前記表示制御手段は、前記ズーム領域に、非ズームの前記コンテンツと当該コンテンツを拡大したズーム画像とを並列に表示する、ことを特徴とする。
【００３７】
また、請求項２８にかかる発明は、請求項１８ないし２７のいずれか一記載の画像閲覧装置において、前記表示制御手段は、前記ズーム領域に表示される前記コンテンツに枠を表示する、ことを特徴とする。
【００３８】
また、請求項２９にかかる発明のプログラムは、コンピュータを、所定の管理構造で管理されたコンテンツを一覧表示する第１表示エリアと、前記第１表示エリアに表示されている前記コンテンツの中から特定の前記コンテンツのみを選択的に表示する第２表示エリアとを、表示装置の表示画面に表示する表示制御手段と、前記第１表示エリアおよび前記第２表示エリアを含む前記表示装置の表示画面に対する閲覧者の操作内容を取得する操作取得手段と、として実行させ、前記操作取得手段が、前記第１表示エリアに一覧表示された前記コンテンツを前記第２表示エリアに表示する前記コンテンツとして選択する操作を取得すると、前記表示制御手段は、前記第２表示エリアに表示するものとして選択操作された前記コンテンツを、管理されている当該コンテンツからのリンクを生成して前記第２表示エリアに表示する、ことを特徴とする。
【発明の効果】
【００３９】
本発明によれば、コンテンツのグルーピングや再グルーピングを行う際に、コンテンツを移動してグループを作成すると、管理構造も共に変化してしまうため、コンテンツが見つけにくくなるといった課題や、コピーで作成してしまうとデータの一貫性が保てなくなるという課題に対して、閲覧者による明示的なグルーピング操作に対しては、第１表示エリアに表示されているコンテンツの中から特定のコンテンツのみを選択的に表示する第２表示エリアを設け、任意のコンテンツを第２表示エリアに表示するものとして選択操作（例えば、ドラッグ＆ドロップ）した際に、管理されている当該コンテンツからのリンクを生成することで、データの管理構造に依存しない操作性を提供することで上記課題を解決することができる、という効果を奏する。
【発明を実施するための最良の形態】
【００４０】
以下に添付図面を参照して、この発明にかかる画像閲覧装置およびプログラムの最良な実施の形態を詳細に説明する。
【００４１】
［第１の実施の形態］
本発明の第１の実施の形態を図１ないし図１３に基づいて説明する。本実施の形態は画像閲覧装置としてサーバクライアントシステムのクライアントコンピュータを適用した例である。
【００４２】
図１は、本発明の第１の実施の形態にかかるシステム構築例を示す模式図である。本実施の形態の画像データ処理システムでは、サーバコンピュータ２にＬＡＮ（Local Area Network）等のネットワーク３を介してクライアントコンピュータ４が複数台接続されたサーバクライアントシステム１を想定する。このサーバクライアントシステム１は、スキャナやデジタルカメラ等の画像入力機器５及びプリンタ等の画像出力機器６をネットワーク３上でシェアし得る環境が整えられている。また、ネットワーク３上には、マルチファンクションペリフェラルと称されるＭＦＰ７が接続され、このＭＦＰ７が画像入力機器５や画像出力機器６として機能するように環境が構築されていても良い。
【００４３】
このようなサーバクライアントシステム１は、例えばイントラネット８を介して別のサーバクライアントシステム１とのデータ通信可能に構築され、インターネット通信網９を介して外部環境とデータ通信可能に構築されている。
【００４４】
サーバコンピュータ２は、画像データを記憶・管理する画像管理機能を発揮するものである。
【００４５】
図２は、本実施の形態における画像閲覧装置としてのクライアントコンピュータ４、及びサーバコンピュータ２のモジュール構成図である。
【００４６】
サーバコンピュータ２及びクライアントコンピュータ４は、情報処理を行うＣＰＵ（Central Processing Unit）１１、情報を格納するＲＯＭ（Read Only Memory）１２及びＲＡＭ（Random Access Memory）１３等の一次記憶装置１４、種々のフォーマットのデータファイル（画像データや文書データ）及び後述する圧縮符号を記憶する記憶部であるＨＤＤ（Hard Disk Drive）１５等の二次記憶装置１６、情報を保管したり外部に情報を配布したり外部から情報を入手するためのＣＤ−ＲＯＭドライブ等のリムーバブルディスク装置１７、ネットワーク３を介して外部の他のコンピュータと通信により情報を伝達するためのネットワークインターフェース１８、処理経過や結果等を操作者に表示するＣＲＴ（Cathode Ray Tube）やＬＣＤ（Liquid Crystal Display）等の表示装置１９、並びに操作者がＣＰＵ１１に命令や情報等を入力するためのキーボード２０、マウス等のポインティングデバイス２１等から構成されており、これらの各部間で送受信されるデータをバスコントローラ２２が調停して動作する。
【００４７】
本実施の形態においては、サーバコンピュータ２のＨＤＤ１５に、圧縮符号化された画像データ（コンテンツ）が所定の管理構造で管理されている。このような画像データ（コンテンツ）は、スキャナやデジタルカメラ等の画像入力機器５から入力される。
【００４８】
このようなサーバコンピュータ２及びクライアントコンピュータ４では、ユーザが電源を投入するとＣＰＵ１１がＲＯＭ１２内のローダーというプログラムを起動させ、ＨＤＤ１５よりオペレーティングシステムというコンピュータのハードウェアとソフトウェアとを管理するプログラムをＲＡＭ１３に読み込み、このオペレーティングシステムを起動させる。このようなオペレーティングシステムは、ユーザの操作に応じてプログラムを起動したり、情報を読み込んだり、保存を行ったりする。オペレーティングシステムのうち代表的なものとしては、Ｗｉｎｄｏｗｓ（登録商標）等が知られている。これらのオペレーティングシステム上で走る動作プログラムをアプリケーションプログラムと呼んでいる。
【００４９】
ここで、サーバコンピュータ２及びクライアントコンピュータ４は、アプリケーションプログラムとして、画像処理プログラムをＨＤＤ１５に記憶している。この意味で、ＨＤＤ１５は、画像処理プログラムを記憶する記憶媒体として機能する。
【００５０】
また、一般的には、サーバコンピュータ２及びクライアントコンピュータ４のＨＤＤ１５等の二次記憶装置１６にインストールされるアプリケーションプログラムは、ＣＤ−ＲＯＭやＤＶＤ−ＲＯＭ等の光情報記録メディアやＦＤ等の磁気メディア等に記録され、この記録されたアプリケーションプログラムがＨＤＤ１５等の二次記憶装置１６にインストールされる。このため、ＣＤ−ＲＯＭ等の光情報記録メディアやＦＤ等の磁気メディア等の可搬性を有する記憶媒体も、アプリケーションプログラムを記憶する記憶媒体となり得る。さらには、アプリケーションプログラムは、例えばネットワークインターフェース１８を介して外部から取り込まれ、ＨＤＤ１５等の二次記憶装置１６にインストールされても良い。
【００５１】
サーバコンピュータ２及びクライアントコンピュータ４は、オペレーティングシステム上で動作するアプリケーションプログラムが起動すると、このアプリケーションプログラムに従い、ＣＰＵ１１が各種の演算処理を実行して各部を集中的に制御する。サーバコンピュータ２のＣＰＵ１１又はクライアントコンピュータ４のＣＰＵ１１が実行する各種の演算処理のうち、本実施の形態の特長的な処理について以下に説明する。
【００５２】
クライアントコンピュータ４は、アプリケーションプログラムとして、画像閲覧プログラムをＨＤＤ１５に記憶している。すなわち、クライアントコンピュータ４は、画像閲覧装置として機能するものであって、ＯＳ上で動作する画像閲覧プログラムが起動すると、この画像閲覧プログラムに従い、ＣＰＵ１１が各部を制御して画像閲覧処理を実行する。
【００５３】
図３は、クライアントコンピュータ４の画像閲覧処理にかかる機能構成を示すブロック図である。図３に示すように、クライアントコンピュータ４は、ＣＰＵ１１がＯＳ上で動作する画像閲覧プログラムに従うことにより、操作取得手段３１と、表示制御手段３２と、を実現する。
【００５４】
表示制御手段３２は、図４に示すような初期画面を表示装置１９に表示する。図４に示す画面表示例においては、表示エリアＡ１と、シナリオエリアＡ２と、階層表示モードを選択するラジオボタンＢ１と、サムネイル画像の時間単位毎の間隔を設定するラジオボタンＢ２とを備えている。
【００５５】
表示エリアＡ１は、サーバコンピュータ２のＨＤＤ１５に記憶された画像データ（コンテンツ）のサムネイル画像を一覧表示する第１表示エリアである。
【００５６】
シナリオエリアＡ２は、表示エリアＡ１からドラッグ＆ドロップされた特定の画像データ（コンテンツ）のサムネイル画像のみをまとめて「シナリオ」単位を生成する第２表示エリアである。
【００５７】
ラジオボタンＢ１は、例えば「階層タイプ」「無階層タイプ」「中間タイプ」を選択可能になっている。「階層タイプ」は、タイムスケール（年、月、日）単位で階層化されるとともに、表示エリアＡ１からシナリオエリアＡ２へのサムネイル画像のドラッグ＆ドロップは最下層（例えば、タイムスケール（日））のみに限定するモードである。「中間タイプ」は、どのタイムスケールの階層からであっても表示エリアＡ１からシナリオエリアＡ２へのサムネイル画像のドラッグ＆ドロップを許可するモードである。「無階層タイプ」は、タイムスケール（年、月、日）に関係なく画像データ（コンテンツ）のサムネイル画像を表示エリアＡ１に表示するモードである。
【００５８】
ラジオボタンＢ２は、例えば「間隔可変」「間隔固定」を選択可能になっている。「間隔可変」は、サムネイル画像の時間単位毎の間隔を変更することができ、「間隔固定」は、サムネイル画像の時間単位毎の間隔を固定する。
【００５９】
操作取得手段３１は、閲覧者の操作内容を取得する手段である。より詳細には、ポインティングデバイス２１による表示装置１９に表示されたラジオボタンＢ１，Ｂ２の指定、ポインティングデバイス２１による表示装置１９に表示されたサムネイル画像のドラッグ＆ドロップなどの操作内容を取得する。
【００６０】
また、表示制御手段３２は、操作取得手段３１から取得した閲覧者の操作内容に基づいて、サーバコンピュータ２のＨＤＤ１５に記憶された画像データ（コンテンツ）を読み出し、表示装置１９における画像データの表示／非表示や詳細度の設定、画像データの表示位置の自動設定等を制御する手段である。
【００６１】
次に、操作取得手段３１による閲覧者の操作内容の取得、および、操作取得手段３１から取得した閲覧者の操作内容に基づく表示制御手段３２による表示制御について説明する。
【００６２】
まず、シナリオエリアＡ２にサムネイル画像を移動させて「シナリオ」を生成する表示制御について図５を参照して説明する。図５に示す表示画面は、「中間タイプ」および「間隔可変」が選択された状態である。図５に示すように、操作取得手段３１が、表示エリアＡ１に月単位で表示されているサーバコンピュータ２のＨＤＤ１５に記憶された画像データ（コンテンツ）のサムネイル画像の中から特定の画像データ（コンテンツ）を、ポインティングデバイス２１によってシナリオエリアＡ２にドラッグ＆ドロップしたことを取得すると、表示制御手段３２は、シナリオエリアＡ２に表示するものとして選択操作された画像データ（コンテンツ）を、管理されている当該画像データ（コンテンツ）からのリンクを生成してシナリオエリアＡ２に表示し、「シナリオ」として登録／編集することができるようにする。なお、シナリオエリアＡ２への登録やシナリオエリアＡ２からの削除は、画像データ（コンテンツ）へのリンクのコピーや消去によって実現し、実際の画像データ（コンテンツ）そのものの移動や消去は行わない。
【００６３】
これにより、特定の画像データ（コンテンツ）のみをまとめた「シナリオ」単位で画像データ（コンテンツ）を管理／閲覧することができる。
【００６４】
次に、類似画像検出して表示する表示制御について図６を参照して説明する。図６に示すように、操作取得手段３１が、シナリオエリアＡ２において特定の画像データ（コンテンツ）の指定操作を取得すると、表示制御手段３２は、当該画像データ（コンテンツ）に類似した内容の画像データ（コンテンツ）を自動的に検出し、他の前記コンテンツとは区別された態様で表示（例えば、マーキング）する。類似画像の選択は、画像特徴量の比較により、略同一の特徴量を有している画像を選択する。例えば、類似画像の検出手法としては、例えば特許第４０５８２８８号「類似画像提示システム及び方法」を用いることができる。
【００６５】
これにより、類似コンテンツの検索を容易にすることができる。
【００６６】
次に、ラジオボタンＢ１により「階層タイプ」が選択された場合の表示制御について図７を参照して説明する。操作取得手段３１が、「階層タイプ」が選択されたことを取得した場合は、表示制御手段３２は、時間軸に基づく階層表示を行なう。まず、図７の（ａ）に示す「年」単位で一覧表示されている画像データ（コンテンツ）のサムネイル画像から所望の「年」をポインティングデバイス２１によって選択したことを操作取得手段３１が取得すると、図７の（ｂ）に示す「月」単位で一覧表示されている画像データ（コンテンツ）のサムネイル画像を表示制御手段３２は表示する。また、「月」単位で一覧表示されている画像データ（コンテンツ）のサムネイル画像から所望の「月」をポインティングデバイス２１によって選択したことを操作取得手段３１が取得すると、図７の（ｃ）に示す「日」単位で一覧表示されている画像データ（コンテンツ）のサムネイル画像を表示制御手段３２は表示する。なお、図７に示す表示画面は「階層タイプ」であることから、図７の（ｃ）に示す最下層（タイムスケール（日））のみ、表示エリアＡ１からシナリオエリアＡ２へのサムネイル画像のドラッグ＆ドロップが許可される。
【００６７】
ところで、サーバコンピュータ２のＨＤＤ１５に記憶された画像データ（コンテンツ）は、例えばＥｘｉｆ（Exchangeable Image File Format）ファイル形式である。Ｅｘｉｆ（Exchangeable Image File Format）ファイル形式は、図８に示すように、撮影した画像データであるＪＰＥＧ画像（無圧縮であればＴＩＦＦ形式）を記録する画像データ部及びＥｘｉｆヘッダ部で構成されている。Ｅｘｉｆヘッダ部には、デジタルスチルカメラＢのメーカー名・機種名・デジタルスチルカメラソフトのバージョン・露出プログラムモード・測光モード・絞り値・開放絞り値・シャッタ速度・焦点距離・合焦距離・露出補正値・ＩＳＯ感度値・撮影日時・光源判別・ストロボの使用などの撮影条件情報が記憶される。このような撮影条件情報は、撮影時に生成されて付与される。また、Ｅｘｉｆヘッダ部には、撮影条件情報の他、ＴＩＦＦ形式で記録されている付加情報（画像の情報、サムネイル画像など）を記録することが可能になっている。
【００６８】
したがって、時間軸に基づく階層表示を行なう場合、画像データ（コンテンツ）のＥｘｉｆヘッダ部から撮影日時を取得して、撮影日時順に並べて表示するようにすれば良い。
【００６９】
上述のように、区切りの単位となるタイムスケールに従って段階的に指定可能（例えば、「年」「月」「日」）とすることにより、目的に応じた粒度で情報を閲覧することができる。また、データの時間的まとまりを表現することで、所望のデータ群の探索を支援し、スクロール時の一覧性を向上させている。
【００７０】
次に、ラジオボタンＢ２により「間隔固定」が選択された場合の表示制御について図９を参照して説明する。図９に示すように、「間隔固定」をポインティングデバイス２１によって選択したことを操作取得手段３１が取得すると、表示制御手段３２はサムネイル画像が表示されるタイムスケールにおける時間単位毎の間隔を固定する。つまり、画像データ（コンテンツ）が存在しない区間も表示することになる。
【００７１】
このように画像データ（コンテンツ）が存在しない区間も表示することにより、画像データ（コンテンツ）が存在する時期の周期性を見せることができる。
【００７２】
一方、ラジオボタンＢ２により「間隔可変」が選択された場合の表示制御について図１０を参照して説明する。「間隔可変」をポインティングデバイス２１によって選択したことを操作取得手段３１が取得すると、表示制御手段３２はサムネイル画像が表示されるタイムスケールにおける時間単位毎の間隔を可変にする。つまり、図１０に示すように、表示制御手段３２は、画像データ（コンテンツ）が存在しない区間の幅を極端に狭くして表示する。より詳細には、図１１に示すように、画像データ（コンテンツ）が存在しない区間を単なる「ライン」として表示する。
【００７３】
このように、画像データ（コンテンツ）が存在しない区間の幅を画像データ（コンテンツ）が存在する区間に比べて極端に狭くして表示することにより、隙間の提示と表示スペースの確保を両立させることができる。
【００７４】
なお、図１２に示すように、表示制御手段３２は、画像データ（コンテンツ）が存在しない区間（期間）がｎ以上連続する場合には、最大ｎ区間（期間）のみ表示するようにしても良い。
【００７５】
このように画像データ（コンテンツ）が存在しない区間の最大連続数を定めて、それ以上は表示しないようにすることにより、より効率的に表示スペースを確保することができる。
【００７６】
次に、ラジオボタンＢ１により「無階層タイプ」が選択された場合の表示制御について図１３を参照して説明する。「無階層タイプ」をポインティングデバイス２１によって選択したことを操作取得手段３１が取得すると、表示制御手段３２はタイムスケール（年、月、日）に関係なく画像データ（コンテンツ）のサムネイル画像を表示エリアＡ１に表示する。「無階層タイプ」をポインティングデバイス２１によって選択したことを操作取得手段３１が取得すると、表示制御手段３２は、図１３に示すように、サムネイル画像の大きさ（大、中、小）を選択するラジオボタンＢ３を表示する。図１３の（ａ）はラジオボタンＢ３により「サムネイルサイズ「小」が選択された場合の表示、図１３の（ｂ）はラジオボタンＢ３により「サムネイルサイズ「中」が選択された場合の表示、図１３の（ｃ）はラジオボタンＢ３により「サムネイルサイズ「大」が選択された場合の表示である。
【００７７】
これにより、目的に応じて全体を把握するための表示と詳細を確認するための表示を切り替えることができる。また、時間軸に基づく非階層表示を行うことで、一覧性を高め、閲覧者のデータ管理コストを低減する。
【００７８】
なお、「無階層タイプ」の場合も「無階層タイプ」や「中間タイプ」と同様に、ラジオボタンＢ２により「間隔固定」が選択された場合には、サムネイル画像が表示されるタイムスケールにおける時間単位毎の間隔を固定する。また、ラジオボタンＢ２により「間隔可変」が選択された場合には、画像データ（コンテンツ）が存在しない区間の幅を極端に狭くして表示する。さらに、画像データ（コンテンツ）が存在しない区間（期間）がｎ以上連続する場合には、最大ｎ区間（期間）のみ表示するようにしても良い。
【００７９】
このように本実施の形態によれば、画像データ（コンテンツ）のグルーピングや再グルーピングを行う際に、画像データ（コンテンツ）を移動してグループを作成すると、管理構造も共に変化してしまうため、画像データ（コンテンツ）が見つけにくくなるといった課題や、コピーで作成してしまうとデータの一貫性が保てなくなるという課題に対して、閲覧者による明示的なグルーピング操作に対しては、第１表示エリアに表示されている画像データ（コンテンツ）の中から特定の画像データ（コンテンツ）のみを選択的に表示する第２表示エリアを設け、任意の画像データ（コンテンツ）を第２表示エリアに表示するものとして選択操作（例えば、ドラッグ＆ドロップ）した際に、サーバコンピュータ２のＨＤＤ１５に管理されている当該画像データ（コンテンツ）からのリンクを生成することで、データの管理構造に依存しない操作性を提供することで上記課題を解決することができる。
【００８０】
［第２の実施の形態］
次に、本発明の第２の実施の形態を図１４に基づいて説明する。なお、前述した第１の実施の形態と同じ部分は同じ符号で示し説明も省略する。
【００８１】
第１の実施の形態では、画像データ（コンテンツ）のサムネイル画像を時間軸に従ってリスト的に表示するようにしたが、本実施の形態は、時間軸をらせん状に表現して、その上に画像データ（コンテンツ）のサムネイル画像を表示するようにしたものである。
【００８２】
図１４は、本発明の第２にかかる実施の形態の表示画面の一例を示す正面図である。図１４に示すように、本実施の形態においては、表示制御手段３２は、表示エリアＡ１において時間軸をらせん状に表現して、その上にコンテンツ（サムネイル／アイコンなど）を配置する。また、表示制御手段３２は、らせん状に表現された時間軸上の画像データ（コンテンツ）を、時間に応じてサイズや透明度を調整する（新しいものほど大きく、不透明にする）。例えば、透明度αは、基準を画面右側とし、表示上の座標に応じて１００に近づけるようにすれば良い。
【００８３】
これにより、画像データ（コンテンツ）の周期性の確認を容易にすることができる。
【００８４】
また、操作取得手段３１は、らせん状に表現された時間軸の周期を段階的に指定可能とし、表示制御手段３２は、指定された周期に応じて時間軸をらせん状に表現する（本実施の形態においては、１０日）。これにより、画像データ（コンテンツ）の頻度に応じた適切な周期で表示することができる。
【００８５】
また、表示制御手段３２は、図１４に示すように、らせん状に表現された時間軸上の画像データ（コンテンツ）を一覧表示する第３表示エリアであるリストエリアＡ３を更に表示する。このようなリストエリアＡ３のリスト表示と併用することにより、らせん表示のみでは同時期にまとめて登録された画像データ（コンテンツ）が重なり合ってしまうため、それを補うことができる。
【００８６】
さらに、表示制御手段３２は、らせん状に表現された時間軸上の特定のコンテンツ（例えば、見えているものの中で最新のもの）と同一のリストエリアＡ３内のコンテンツを、特定の位置（例えば、中央）に表示して両者を他のコンテンツとは区別された態様で表示する（例えば、対応する画像の枠の色を変えて表示する）。これにより、らせん上の特定の画像データ（コンテンツ）とリストエリアＡ３内の画像データ（コンテンツ）の対応関係を明確化することができる。
【００８７】
加えて、本実施の形態においては、操作取得手段３１がらせん状に表現された時間軸上の画像データ（コンテンツ）に対して送り／戻し操作を行ったことを取得した場合には一定期間単位で、操作取得手段３１がリストエリアＡ３内の画像データ（コンテンツ）に対して送り／戻し操作を行ったことを取得した場合にはコンテンツ単位で、表示制御手段３２は、それぞれ時間軸の送り／戻し処理を行う。これにより、画像データ（コンテンツ）のまとまり全体を意識しながらの送り／戻しと、個々の画像データ（コンテンツ）の詳細を確認しながらの送り／戻しを両立させることができる。
【００８８】
さらに、らせん状に表現された時間軸上の画像データ（コンテンツ）の送り／戻しに関して、表示制御手段３２は、下記の２通りの動作を切り替え可能にする。
（１）時間軸の送り／戻しに応じてらせん状に表現された時間軸自体を移動させる（コンテンツの相対的な位置は固定）
（２）時間軸の送り／戻しに応じて画像データ（コンテンツ）を移動させる（らせん状に表現された時間軸の形状は固定）
【００８９】
上記（１）と（２）にはそれぞれ下記のメリットがある。
（１）らせん状に表現された時間軸上の相対的な時刻が固定されるため（例えば、周期を「日」にした場合には下半分がＡＭ、上半分がＰＭ）、画像データ（コンテンツ）の周期性が確認しやすく、時間軸の送り／戻し時の画像データ（コンテンツ）の移動量も少ないため、見やすい。
（２）らせん状に表現された時間軸のデザインの都合上、異なる時期の画像データ（コンテンツ）がたまたまある時刻において重なり合って表示される場合があるが、別の時刻に変更した時点でそれらの重なりが解消されるため、時期的なまとまりが確認しやすい。
【００９０】
このように本実施の形態によれば、表示エリアＡ１の画像データ（コンテンツ）を、時間軸をらせん状に表現して区切りの単位となるタイムスケールに従って表示することにより、画像データ（コンテンツ）の周期性の確認を容易にすることができる。画像データ（コンテンツ）の周期性とは、ＡＭ／ＰＭ、春夏秋冬などである。
【００９１】
［第３の実施の形態］
次に、本発明の第２の実施の形態を図１５ないし図２４に基づいて説明する。なお、前述した第１の実施の形態と同じ部分は同じ符号で示し説明も省略する。
【００９２】
第１の実施の形態では、画像データ（コンテンツ）のサムネイル画像を時間軸に従ってリスト的に表示するようにしたが、本実施の形態は、複数の系列の画像データ（コンテンツ）を時間同期させて表示し、複数の系列の画像データ（コンテンツ）に対する同期したスクロール操作性を提供するようにしたものである。
【００９３】
図１５は、本発明の第３の実施の形態にかかる表示画面の一例を示す正面図である。図１５に示すように、本実施の形態においては、表示制御手段３２は、表示エリアＡ１において、複数の系列（例えば、Ｅｘｉｆヘッダ部の機種名）の画像データ（コンテンツ）を時間同期させて並列に表示する。また、操作取得手段３１は、複数の系列の画像データ（コンテンツ）に対する同期したスクロール操作性を提供する。
【００９４】
このようにすることにより、画像データ（コンテンツ）の比較操作を簡易化することができる。例えば、同じ時期の他人の写真との比較（例えば、枚数の違い）が可能になる。
【００９５】
また、図１５に示すように、表示制御手段３２は、表示画面にズーム領域と非ズーム領域とを備えている。ズーム領域においては、非ズーム領域に比べて、画像データ（コンテンツ）のサムネイルサイズを大きく変えて表示する。
【００９６】
表示制御手段３２によるズーム領域の表示データの間隔の決定方法としては、下記の２通りが挙げられる。
（１）図１６に示すように、画像データ（コンテンツ）を等間隔（ｄ）で表示する。
（２）図１７に示すように、画像データ（コンテンツ）の時間間隔（t）に応じて表示する。
【００９７】
上記（１）と（２）にはそれぞれ下記のメリットがある。
（１）データのまとまりと個別データを確認しながらスクロールでき、効率的な一覧が行える。
（２）上記（１）に比べてズーム領域におけるデータのまとまりの視認性が高い。
【００９８】
なお、図１８に示すように、表示制御手段３２は、画像データ（コンテンツ）のを等間隔（ｄ）で表示する場合、境界線数を時間間隔に応じて変えて表示するようにすれば、ズーム領域における時間のまとまりの視認性を向上させることができる。
【００９９】
また、表示制御手段３２によるズーム領域の表示枚数の決定方法としては、下記の２通りが挙げられる。
（１）図１９に示すように、ズーム領域のデータ数（Ｎ）を固定して表示する。
（２）図２０に示すように、ズーム領域の両端の時間間隔（Ｔ）を固定して表示する。
【０１００】
上記（１）と（２）にはそれぞれ下記のメリットがある。
（１）ズーム領域において画像データ（コンテンツ）のサムネイル画像の一覧性が高くなる。
（２）上記（１）に比べてズーム領域においてもデータのまとまりの視認性が向上する。
【０１０１】
ところで、本実施の形態においては、操作取得手段３１がズーム領域上でのスクロール操作を取得した場合には、図２１に示すように、表示制御手段３２は、画像データ（コンテンツ）のサムネイル画像を１つずつ移動させ、非ズーム領域では時間に応じた移動を行う。このようにスクロール位置で移動手法を変更することにより、個別のデータのスクロールの操作性を高めることができる。
【０１０２】
さらに、データを選択して移動する場合、図２２に示すように、操作取得手段３１は、Ｘ軸とＹ軸における移動操作量の比率に応じてスクロール操作を取得したのか、シナリオエリアＡ２へのドラッグ操作を取得したのかを判断する。具体的には、操作取得手段３１は、一定時間のドラッグ操作量が“Ｘ＞２Ｙ”の場合にはスクロール操作と判断し、一定時間のドラッグ操作量が“Ｙ＞２Ｘ”の場合にはシナリオエリアＡ２へのドラッグと判断する。これにより、スクロールとドラッグを共用した操作を提供し、モードを切り替えの負荷を無くすことができる。
【０１０３】
このように本実施の形態によれば、表示制御手段３２は、表示エリアＡ１の画像データ（コンテンツ）を、区切りの単位となるタイムスケールに従い、複数の系列の画像データ（コンテンツ）を時間同期させて並列に表示し、操作取得手段３１は、複数の系列の画像データ（コンテンツ）に対する同期したスクロール操作性を提供することにより、画像データ（コンテンツ）の比較操作を簡易化することができる。例えば、同じ時期の他人の写真との比較（例えば、枚数の違い）が可能になる。
【０１０４】
なお、本実施の形態のズーム領域においては、非ズーム領域に比べて、データのサムネイルサイズを大きく変えて表示するようにしたが、これに限るものではない。例えば、表示制御手段３２は、図２３に示すように、ズーム領域に、非ズームの画像データ（コンテンツ）のサムネイル画像と当該非ズームの画像データ（コンテンツ）のサムネイル画像を拡大したズーム画像とを並列に表示するようにしても良い。これにより、ズームされているサムネイルにおける非ズーム領域における位置との対応関係が分かり、データの時間的なまとまりの視認性が高まる。
【０１０５】
また、表示制御手段３２は、図２４に示すように、画像データ（コンテンツ）のサムネイル画像に枠を表示するようにしても良い。これにより、データの重なりの程度の視認性を高めることができる。
【０１０６】
なお、各実施の形態においては、サーバコンピュータ２のＨＤＤ１５に画像データ（コンテンツ）を記憶するようにしたが、これに限るものではない。例えば、クライアントコンピュータ４のＨＤＤ１５に画像データ（コンテンツ）を記憶するようにしても良い。
【図面の簡単な説明】
【０１０７】
【図１】本発明の第１の実施の形態にかかるシステム構築例を示す模式図である。
【図２】コンピュータのモジュール構成図である。
【図３】画像閲覧処理にかかる機能構成を示すブロック図である。
【図４】画面表示例を示す正面図である。
【図５】画面表示例を示す正面図である。
【図６】画面表示例を示す正面図である。
【図７】画面表示例を示す正面図である。
【図８】Ｅｘｉｆファイル形式を示す模式図である。
【図９】画面表示例を示す正面図である。
【図１０】画面表示例を示す正面図である。
【図１１】画像データが存在しない区間の幅を極端に狭くして表示する例を示す模式図である。
【図１２】画面表示例を示す正面図である。
【図１３】画面表示例を示す正面図である。
【図１４】本発明の第２の実施の形態にかかる表示画面の一例を示す正面図である。
【図１５】本発明の第３の実施の形態にかかる表示画面の一例を示す正面図である。
【図１６】画面表示例を示す正面図である。
【図１７】画面表示例を示す正面図である。
【図１８】画面表示例を示す正面図である。
【図１９】画面表示例を示す正面図である。
【図２０】画面表示例を示す正面図である。
【図２１】画面表示例を示す正面図である。
【図２２】画面表示例を示す正面図である。
【図２３】画面表示例を示す正面図である。
【図２４】画面表示例を示す正面図である。
【符号の説明】
【０１０８】
４        画像閲覧装置
３１      操作取得手段
３２      表示制御手段
Ａ１      第１表示エリア
Ａ２      第２表示エリア
Ａ３      第３表示エリア
【図１】
2009284070.tif 000003
【図２】
2009284070.tif 000004
【図３】
2009284070.tif 000005
【図４】
2009284070.tif 000006
【図５】
2009284070.tif 000007
【図６】
2009284070.tif 000008
【図７】
2009284070.tif 000009
【図８】
2009284070.tif 000010
【図９】
2009284070.tif 000011
【図１０】
2009284070.tif 000012
【図１１】
2009284070.tif 000013
【図１２】
2009284070.tif 000014
【図１３】
2009284070.tif 000015
【図１４】
2009284070.tif 000016
【図１５】
2009284070.tif 000017
【図１６】
2009284070.tif 000018
【図１７】
2009284070.tif 000019
【図１８】
2009284070.tif 000020
【図１９】
2009284070.tif 000021
【図２０】
2009284070.tif 000022
【図２１】
2009284070.tif 000023
【図２２】
2009284070.tif 000024
【図２３】
2009284070.tif 000025
【図２４】
2009284070.tif 000026